(57)【要約】【課題】本体箱体の吸込口と吐出口とを結ぶ方向及びこれと直交する方向の両方で本体箱体の寸法を短縮できる送風装置を得ること。【解決手段】外側ケーシング１の内部に設置された第１の送風機４及び第２の送風機５とを有する送風装置であって、箱体吸込口２から外側ケーシング１に流入して箱体吐出口３から流出する本体気流の最上流に設置された第１の送風機４は両吸込型であり、本体気流の下流側となる第２の送風機５は片吸込型であり、第２の送風機５の吸い込み側と、第１の送風機４の吐出側とを隔てる隔壁１５を備え、第１の送風機４及び第２の送風機５は、第２の送風機５が、第１の送風機４の送風機吐出口１３を塞がない位置において、第１の送風機４のファンケーシングと第２の送風機５のファンケーシングとを隔壁１５を介して接触させた状態、かつ第１の送風機４のモータ６の軸方向と第２の送風機５のモータ６の軸方向とが交差する状態で設置されている。【選択図】図２
2017187242.tif 000002
【特許請求の範囲】
【請求項１】
対向する二面に箱体吸込口及び箱体吐出口を備えた本体箱体と、該本体箱体の内部に設置された複数の送風機とを有する送風装置であって、
複数の前記送風機のうち、前記箱体吸込口から前記本体箱体に流入して前記箱体吐出口から前記本体箱体外へ流出する本体気流の最上流に設置された第１の送風機は、両吸込型であり、
複数の前記送風機のうち、前記第１の送風機以外の送風機は、片吸込型であり、
前記複数の送風機のうち、前記第１の送風機以外の送風機の吸い込み側と、前記第１の送風機の排気側とを隔てる隔壁を備え、
複数の前記送風機は、前記本体気流の下流側となる送風機が、前記本体気流の上流側となる送風機の送風機吐出口を塞がない位置において、前記本体気流の上流側となる送風機のファンケーシングと前記本体気流の下流側となる送風機のファンケーシングとを前記隔壁を介して接触させた状態、かつ前記本体気流の上流側となる送風機のモータの軸方向と前記本体気流の下流側となる送風機のモータの軸方向とが交差する状態で設置されていることを特徴とする送風装置。
【請求項２】
前記本体気流の上流側となる送風機のモータの軸方向と前記本体気流の下流側となるモータの軸方向とが直交することを特徴とする請求項１に記載の送風装置。
【発明の詳細な説明】
【技術分野】
【０００１】
本発明は、複数の遠心式送風機を本体箱体内に組み込んだ送風装置に関する。
【背景技術】
【０００２】
従来、天井裏の空間に設置される換気装置には、複数の遠心式送風機を装備した送風装置が用いられることがあった。このような送風装置は、一般に、遠心式ファンと駆動用のモータとを有し、ファンケーシングの対向する両側面に吸込口を持つ遠心式送風機を複数個本体箱体内に組み込んだ構造をしている。このような送風装置は、本体箱体の小型化及びメンテナンスの簡易化のために、遠心送風機の組み込み構造について工夫がなされてきた。
【０００３】
しかし、本体箱体に形成された吸込口から各々の遠心送風機の吸込口へと流れる気流間での干渉の発生によって送風効率が低下することを抑制するため、本体箱体内に組み込む複数の遠心送風機を接触させて配置することができない。遠心送風機間に距離を開けて配置することは、送風装置の小型化の妨げとなっている。
【０００４】
特許文献１に開示される発明は、本体箱体の吸込口と吐出口とを結ぶ方向に送風機を重ねて配置することにより、吸込口と吐出口とを結ぶ方向において本体箱体を小型化している。特許文献２に開示される発明は、送風機本体の吸込口から吐出口に至る直線状の流路の幅を狭くし、本体を幅方向に小型化している。
【先行技術文献】
【特許文献】
【０００５】
【特許文献１】特許第５０１２２６０号公報
【特許文献２】特許第４６６１０６８号公報
【発明の概要】
【発明が解決しようとする課題】
【０００６】
近年、室内空間を広くするために、天井裏の空間を縮小する傾向がある。特許文献１に開示される発明は、本体箱体の寸法を、箱体の吸込口と吐出口とを結ぶ方向には短くすることができるが、箱体の吸込口と吐出口とを結ぶ方向と直交する方向の寸法が長くなってしまう。また、特許文献２に開示される発明は、逆に、本体箱体の寸法を、本体箱体の吸込口と吐出口とを結ぶ方向と直交する方向に短くすることができるが、本体箱体の吸込口と吐出口とを結ぶ方向の寸法が長くなってしまう。
【０００７】
本発明は、上記に鑑みてなされたものであって、本体箱体の吸込口と吐出口とを結ぶ方向及びこれと直交する方向の両方で本体箱体の寸法を短縮できる送風装置を得ることを目的とする。
【課題を解決するための手段】
【０００８】
上述した課題を解決し、目的を達成するために、本発明は、対向する二面に箱体吸込口及び箱体吐出口を備えた本体箱体と、本体箱体の内部に設置された複数の送風機とを有する送風装置であって、複数の送風機のうち、箱体吸込口から本体箱体に流入して箱体吐出口から本体箱体外へ流出する本体気流の最上流に設置された第１の送風機は、両吸込型であり、複数の送風機のうち、第１の送風機以外の送風機は、片吸込型である。複数の送風機は、本体気流の下流側となる送風機が、本体気流の上流側となる送風機の送風機吐出口を塞がない位置において、本体気流の上流側となる送風機のファンケーシングと本体気流の下流側となる送風機のファンケーシングとを接触させた状態、かつ本体気流の上流側となる送風機のモータの軸方向と本体気流の下流側となる送風機のモータの軸方向とが交差する状態で設置されている。
【発明の効果】
【０００９】
本発明によれば、本体箱体の吸込口と吐出口とを結ぶ方向及びこれと直交する方向の両方で本体箱体の寸法を短縮できる送風装置を得られるという効果を奏する。
【図面の簡単な説明】
【００１０】
【図１】本発明の実施の形態１に係る送風装置の斜視図
【図２】実施の形態１に係る送風装置の斜視図
【図３】実施の形態１に係る送風装置の側面図
【図４】本発明の実施の形態２に係る送風装置の斜視図
【図５】実施の形態２に係る送風装置の斜視図
【図６】実施の形態２に係る送風装置の側面図
【発明を実施するための形態】
【００１１】
以下に、本発明の実施の形態に係る送風装置を図面に基づいて詳細に説明する。なお、この実施の形態によりこの発明が限定されるものではない。
【００１２】
実施の形態１．
図１及び図２は、本発明の実施の形態１に係る送風装置の斜視図である。なお、内部の構造を視認できるように、箱体の上面及び側面を透過させて示している。図３は、実施の形態１に係る送風装置の側面図である。実施の形態１に係る送風装置は、建物の天井裏の空間に設置されて、天井裏に設けられたダクトを箱体吸込口２と箱体吐出口３とに取り付け、室内の空気を吸い込み、室外へ排気して、排気を行うものである。
【００１３】
本体箱体である外側ケーシング１は、対向する二つの面に、箱体吸込口２と箱体吐出口３とを備えている。外側ケーシング１の内部には、両吸込型の第１の送風機４と、片吸込型の第２の送風機５とが設置されている。第１の送風機４及び第２の送風機５は、羽根車１１とモータ６とファンケーシング７とを備える。第１の送風機４は、反モータ側の送風機吸込口１２とモータ側の送風機吸込口１４との２面から吸い込んで、箱体吐出口３に向けてファンケーシング７に設けられた送風機吐出口１３へと空気を流す。第２の送風機５は、反モータ側の送風機吸込口１７の１面から吸い込んで、箱体吐出口３に向けてファンケーシング７に設けられた送風機吐出口１８へと空気を流す。第１の送風機４及び第２の送風機５は、外側ケーシング１の内部に、箱体吸込口２から外側ケーシング１に流入して箱体吐出口３から外側ケーシング１の外へ流出する本体気流を形成する。図１及び図２には、本体気流を矢印で示している。
【００１４】
外側ケーシング１内には、第１の送風機４が本体気流方向の上流側、第２の送風機５が本体気流の下流側となるように、第１の送風機４及び第２の送風機５が設置されている。両吸込型である第１の送風機４は、第１の送風機４自体の吸込気流によってモータ６が冷却される。一方、片吸込型である第２の送風機５は、第２の送風機５自体の吸込気流ではモータ６は冷却されない。したがって、第１の送風機４を本体気流の上流側に設置し、第２の送風機５を本体気流の下流側に設置することで、第１の送風機４の排気により第２の送風機５のモータ６を冷却できるようにしている。具体的には、第２の送風機５のモータ６は、第１の送風機４の送風機吐出口１３に正対するように配置されている。
【００１５】
第２の送風機５が両吸込型であると、第２の送風機５のモータ側の給気風路を第１の送風機４と隔てる必要が生じ、部品数の増加及び内部構造の複雑化が起こり、製造コストが増大してしまう。このため、実施の形態１に係る送風装置は、本体気流の上流側に設置する第１の送風機４は両吸込型、本体気流の下流側に設置する第２の送風機５は片吸込型にしている。第２の送風機５の送風機吸込口１７と第１の送風機４の送風機吐出口１３とは、外側ケーシング１に設けられた隔壁１５によって隔離されている。隔壁１５には、第１の送風機４の送風機吐出口１３と対応する位置に、本体気流を通過させる開口１５ａが設けられており、第１の送風機４の送風機吸込口１２，１４は、隔壁１５によって送風機吐出口１３と隔離されている。第２の送風機５のモータ側には送風機吸込口が存在しないため、第２の送風機５のモータ側を第１の送風機４の送風機吐出口１３と隔てる必要はない。
【００１６】
第１の送風機４は、外側ケーシング１の箱体吸込口２から見た際に、第１の送風機４のモータ６の軸方向が外側ケーシング１の底面１ａに対して傾きを有する状態で設置されている。第２の送風機５は、第１の送風機４のモータ６の軸方向と第２の送風機５のモータ６の軸方向とが、箱体吸込口２から見た際に直交するように設置されている。第１の送風機４のファンケーシング７と第２の送風機５のファンケーシング７とは、第１の送風機４の送風機吐出口１３を塞がない位置で、隔壁１５を介して接触している。第１の送風機４の設置角度及び設置位置によっては第２の送風機５の吸込風路が縮小され、第２の送風機５の送風性能に悪影響が出る可能性があるため、第２の送風機５の吸込風路が確保できるように、第１の送風機４の設置角度及び設置位置が設定されている。具体的には、箱体吸込口２から見た側面視において第１の送風機４のファンケーシング７が第２の送風機５の送風機吸込口１７側に突出しないように、第１の送風機４及び第２の送風機５が設置されている。
【００１７】
図３に示すように、第１の送風機４及び第２の送風機５は、第２の送風機５が第１の送風機４の送風機吐出口１３を塞がない位置において、第１の送風機４のファンケーシング７と第２の送風機５のファンケーシング７とを接触させた状態、かつ第１の送風機４のモータ６の軸方向と第２の送風機５のモータ６の軸方向とが交差する状態で設置されている。したがって、第１の送風機４と第２の送風機５とは、箱体吸込口２から見た側面視で一部が重なり合う。したがって、第１の送風機４と第２の送風機５とが重ならないように並べる構成と比較すると、外側ケーシング１の幅方向の寸法を短縮し、天井投影面積を小さくすることができる。
【００１８】
また、第１の送風機４と第２の送風機５とを接触させずに配置する構成と比較すると、外側ケーシング１の箱体吸込口２と箱体吐出口３とを結ぶ方向の長さ寸法を短縮できる。したがって、実施の形態１に係る送風装置は、箱体吸込口２と箱体吐出口３とを結ぶ方向及びこれと直交する方向の両方で外側ケーシング１の寸法を短縮できる。
【００１９】
上記の説明においては、第１の送風機４のモータ６の軸方向と第２の送風機５のモータ６の軸方向とが側面視で直交していたが、第１の送風機４のモータ６の軸方向と第２の送風機５のモータ６の軸方向との側面視での角度は直角に限定されない。第１の送風機４及び第２の送風機５は、第２の送風機５が第１の送風機４の送風機吐出口１３を塞がず、かつ第２の送風機５の吸込風路が確保できるのであれば、第１の送風機４のモータ６の軸方向と第２の送風機５のモータ６の軸方向との側面視での角度は、特定の角度に限定されない。また、第１の送風機４及び第２の送風機５の両方を外側ケーシング１の底面１ａに対して傾けて設置するのでなく、一方のみを外側ケーシング１の底面１ａに対して傾けて設置してもよい。
【００２０】
実施の形態２．
図４及び図５は、本発明の実施の形態２に係る送風装置の斜視図である。なお、内部の構造を視認できるように、箱体の上面及び側面を透過させて示している。図４及び図５には、本体気流を矢印で示している。図６は、実施の形態２に係る送風装置の側面図である。実施の形態２に係る送風装置は、外側ケーシング１内に設置されている送風機の数が３機である点で実施の形態１と相違している。第１の送風機４は、両吸込型であり、第２の送風機５及び第３の送風機１６は片吸込型である。
【００２１】
第２の送風機５の送風機吸込口１７と第１の送風機４の送風機吐出口１３とは、外側ケーシング１に設けられた隔壁１５によって隔離されている。隔壁１５には、第１の送風機４の送風機吐出口１３と対応する位置に、本体気流を通過させる開口１５ａが設けられており、第１の送風機４の送風機吸込口１２，１４は、隔壁１５によって送風機吐出口１３と隔離されている。第２の送風機５のモータ側には送風機吸込口が存在しないため、第２の送風機５のモータ側を第１の送風機４の送風機吐出口１３と隔てる必要はない。第３の送風機１６の送風機吸込口１９は、外側ケーシング１に設けられた隔壁２１によって第２の送風機５の送風機吐出口１８と隔離されている。隔壁２１には、第２の送風機５の送風機吐出口１８と対応する位置に、本体気流を通過させる開口２１ａが設けられており、第２の送風機４の送風機吸込口１７は、隔壁２１によって送風機吐出口１８と隔離されている。第３の送風機１６のモータ側には送風機吸込口が存在しないため、第３の送風機１６のモータ側を第２の送風機５の送風機吐出口１８と隔てる必要はない。
【００２２】
第１の送風機４は、箱体吸込口２から見た際に、モータ６の軸方向が外側ケーシング１の底面１ａに垂直になる状態で設置されている。第２の送風機５は、モータ６の軸方向が外側ケーシング１の底面１ａに対して平行かつ、第１の送風機４の送風機吐出口１３を塞がない位置において、第１の送風機４のファンケーシング７と第２の送風機５のファンケーシング７とを隔壁１５を介して接触させた状態で設置されている。第３の送風機１６は、モータ６の軸方向が外側ケーシング１の底面１ａに対して垂直かつ、第２の送風機５の送風機吐出口１８を塞がない位置において、第２の送風機５のファンケーシング７と第３の送風機１６のファンケーシング７とを隔壁２１を介して接触させた状態で設置されている。
【００２３】
実施の形態２に係る送風装置は、第１の送風機４のモータ６の軸方向と第２の送風機５のモータ６の軸方向とが直交し、第２の送風機５のモータ６の軸方向と第３の送風機１６のモータ６の軸方向とが直交し、第２の送風機５が第１の送風機４の送風機吐出口１３を塞がず、かつ第３の送風機１６が第２の送風機５の送風機吐出口１８を塞がないように構成されている。第１の送風機４のモータ６の軸方向と第２の送風機５のモータ６の軸方向とが直交し、第２の送風機５のモータ６の軸方向と第３の送風機１６のモータ６の軸方向とが直交するように、第１の送風機４、第２の送風機５及び第３の送風機１６を配置することで、第２の送風機５及び第３の送風機１６の吸込風路を確保しやすくなる。外側ケーシング１の高さは、第２の送風機５の吸込風路及び第３の送風機１６の吸込風路が確保できるように設定されている。
【００２４】
図６に示すように、第１の送風機４、第２の送風機５及び第３の送風機１６は、箱体吸込口２から見た側面視で一部が重なり合う。したがって、第１の送風機４、第２の送風機５及び第３の送風機１６が重ならないように並べる構成と比較すると、外側ケーシング１の幅方向の寸法を短縮し、天井投影面積を小さくすることができる。
【００２５】
上記の説明においては、第１の送風機４のモータ６の軸方向と第２の送風機５のモータ６の軸方向とが側面視で直交していたが、第１の送風機４のモータ６の軸方向と第２の送風機５のモータ６の軸方向との側面視での角度は直角に限定されない。第１の送風機４及び第２の送風機５は、第２の送風機５が第１の送風機４の送風機吐出口１３を塞がず、かつ第２の送風機５の吸込風路が確保できるのであれば、第１の送風機４のモータ６の軸方向と第２の送風機５のモータ６の軸方向との側面視での角度は、特定の角度に限定されない。また、第２の送風機５のモータ６の軸方向と第３の送風機１６のモータ６の軸方向とが側面視で直交していたが、第２の送風機５のモータ６の軸方向と第３の送風機１６のモータ６の軸方向との側面視での角度は直角に限定されない。第２の送風機５及び第３の送風機１６は、第３の送風機１６が第２の送風機５の送風機吐出口１８を塞がず、かつ第３の送風機１６の吸込風路が確保できるのであれば、第２の送風機５のモータ６の軸方向と第３の送風機１６のモータ６の軸方向との側面視での角度は、特定の角度に限定されない。また、第１の送風機４、第２の送風機５及び第３の送風機１６の全てを外側ケーシング１の底面１ａに対して傾けて設置するのでなく、一部のみを外側ケーシング１の底面１ａに対して傾けて設置してもよい。
【００２６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２７】
１  外側ケーシング、１ａ  底面、２  箱体吸込口、３  箱体吐出口、４  第１の送風機、５  第２の送風機、６  モータ、７  ファンケーシング、１１  羽根車、１２，１４，１７，１９  送風機吸込口、１３、１８，２０  送風機吐出口、１５，２１  隔壁、１５ａ，２１ａ  開口、１６  第３の送風機。
【図１】
2017187242.tif 000003
【図２】
2017187242.tif 000004
【図３】
2017187242.tif 000005
【図４】
2017187242.tif 000006
【図５】
2017187242.tif 000007
【図６】
2017187242.tif 000008